(57)【要約】【課題】  所望の波形を確実に測定しつつ、波形観測・解析を容易におこなうことができる波形測定装置を実現することを目的にする。【解決手段】  本発明は、被測定波形を測定した波形データをデータ記憶部に格納し、このデータ記憶部に格納した波形データを、表示部の一方の表示画面にロールモードで波形表示し、他方の表示画面に一方の表示画面で指定される領域を拡大してロールモードで波形表示する波形測定装置に改良を加えたものである。本装置は、波形更新の停止信号を出力する操作部と、この操作部から出力される波形更新の停止信号によって、他方の表示画面の波形更新を停止し、一方の表示画面の波形更新を継続する波形更新手段とを設けたことを特徴とするものである。【選択図】                    図１
2005121457.tif 000002
【特許請求の範囲】
【請求項１】
被測定波形を測定した波形データをデータ記憶部に格納し、このデータ記憶部に格納した波形データを、表示部の一方の表示画面にロールモードで波形表示し、前記表示部の他方の表示画面に前記一方の表示画面で指定される領域を拡大してロールモードで波形表示する波形測定装置において、
波形更新の停止信号を出力する操作部と、
この操作部から出力される波形更新の停止信号によって、前記他方の表示画面の波形更新を停止し、前記一方の表示画面の波形更新を継続する波形更新手段と
を設けたことを特徴とする波形測定装置。
【請求項２】
波形更新手段は、
前記データ記憶部に格納される波形データのアドレスを記憶するアドレス記憶部と、
停止フラグの状態を記憶するフラグ記憶部と、
前記操作部から出力される波形更新の停止信号によって、前記フラグ記憶部の停止フラグをオンにすると共に、前記一方の表示画面で指定される領域の両端に位置する波形データそれぞれのアドレスをアドレス記憶部に格納する設定手段と、
前記フラグ記憶部の停止フラグがオンの間、前記アドレス記憶部のアドレス間の波形データを選択するデータ選択手段と
を有することを特徴とする請求項１記載の波形測定装置。
【請求項３】
データ選択手段は、新たに測定された波形データによって、前記アドレス記憶部に格納したアドレスに対応する前記データ記憶部の波形データが上書きされると、前記アドレス記憶部のアドレス間の波形データの選択を行わないことを特徴とする請求項２記載の波形測定装置。
【請求項４】
波形データを記憶する停止波形データ記憶部を設け、
波形更新手段は、
停止フラグの状態を記憶するフラグ記憶部と、
前記操作部から出力される波形更新の停止信号によって、前記フラグ記憶部の停止フラグをオンにすると共に、前記一方の表示画面で指定される領域の波形データを前記データ記憶部から前記停止波形データ記憶部に格納する設定手段と、
前記フラグ記憶部の停止フラグがオンの間、前記停止波形データ記憶部の波形データを選択するデータ選択手段と
を有することを特徴とする請求項１記載の波形測定装置。
【請求項５】
設定手段は、前記データ記憶部の波形データを圧縮し、圧縮したデータを格納することを特徴とする請求項４記載の波形測定装置。
【請求項６】
波形更新手段は、前記他方の表示画面に表示される波形の波形解析を、前記データ選択手段の選択した波形データで行う解析手段を設けたことを特徴とする請求項２〜５のいずれかに記載の波形測定装置。
【発明の詳細な説明】
【技術分野】
【０００１】
本発明は、被測定波形を測定した波形データに基づいて、表示部の一方の表示画面に波形データの全体波形をロールモードで表示し、他方の表示画面に全体波形の一部を拡大した拡大波形をロールモードで波形表示する波形測定装置に関し、詳しくは、所望の波形を確実に測定しつつ、波形観測・解析を容易におこなうことができる波形測定装置に関するものである。
【背景技術】
【０００２】
波形測定装置は、例えば、デジタルオシロスコープであり、被測定波形を測定してデジタル信号の波形データに変換し、データ記憶部であるアクイジョンメモリに格納する。そして、アクイジョンメモリに格納した波形データの解析を行うと共に、この解析結果および波形データを表示処理部を介して表示部の表示画面に波形表示するように構成されたものであり、各種分野の研究開発、品質管理、保守作業等において広く使用されている。
【０００３】
このような波形測定装置は、被測定波形に適した表示を行うため、表示部の表示画面に表示される波形の波形更新に２種類のモードが用意されている。一つ目は、更新モード（トリガモードとも呼ばれる）であり、トリガ信号を用いて所望の条件を満たす波形データのみをアクイジョンメモリに格納し、トリガ信号ごとに表示部の表示画面に表示される波形表示を更新する。
【０００４】
二つ目は、ロールモード（スクロールモードとも呼ばれる）であり、トリガ信号によって波形表示を更新するのでなく、新しい波形データを取得すると最も古い波形データを消し、波形が画面の右から左に流れるように表示する（例えば、特許文献１参照）。このロールモードは、チャートレコーダで観測されるような信号（例えば、繰返し周期の長い信号、変化の遅い信号等）を捕らえるのに有効である。また、トリガモードでは補足できない、不規則に発生するグリッチ（波形中の瞬間的な異常を示すパルス状の信号）のような異常波形を補足するのに有効である。
【０００５】
図８は、ロールモードの表示例を示した図である。横軸は時間であり、縦軸は振幅である。ユーザから向かって表示画面の右端に最も新しい波形データが表示され、古い波形データは、時刻の経過（時刻ｔ０→ｔ１→ｔ２）と共に順次左側に向かって移動させられて表示される。このようにロールモードでは、チャートレコーダが被測定波形を順次ロール紙に記録するように、被測定波形が表示部の表示画面上を流れるように表示される。
【０００６】
そして、近年の波形測定装置は、アクイジョンメモリの容量が飛躍的に増大したので、チャートレコーダと同等に、低速サンプリングで波形観測を長時間行うことが可能となっている。さらに、紙に記録するチャートレコーダと異なり、デジタル化された波形データを用いて表示部に表示するので、異常波形を拡大して表示でき、さらに異常波形の波形解析も詳細に行うことができる。
【０００７】
図９は、従来の波形測定装置の構成を示した図である。
図９において、測定部１０は、被測定波形が入力され、被測定波形を測定した波形データを出力する。アクイジョンメモリ２０は、データ記憶部であり、測定部１０からの波形データを格納する。表示処理部３０は、アクイジョンメモリ２０の波形データや波形データの解析結果を所望の形式の表示データに変換して出力する。表示部４０は、表示処理部３０から出力された表示データを表示画面に表示する。
【０００８】
操作部５０は、ボタンやロータリーノブ等であり、各種操作が行われ、各操作に基づく信号を測定部１０、表示処理部３０に出力する。
【０００９】
このような装置の動作を説明する。
まず、ユーザが操作部５０を操作して、表示部４０の表示画面に表示する波形の設定、例えば、画面の右端から左端までで表示される波形データのレコード長、時間軸の設定（表示画面の１目盛りあたりに対応する時間）を行い、測定開始のボタンを押す。これらの操作により操作部５０が、設定された表示となる条件の設定信号および測定開始の信号を測定部１０に出力する。そして、測定部１０の図示しないＡＤ変換器が、操作部５０から指示されるサンプリングレートで被測定波形をデジタル信号に変換し、波形データとしてアクイジョンメモリ２０に格納する。
【００１０】
また、操作部５０が表示処理部３０にも設定された波形表示を指示する信号を出力する。そして、表示処理部３０が、測定部１０の測定に対してほぼリアルタイムで、アクイジョンメモリ２０から波形データを読み出し、表示部４０の表示画面に波形データをロールモードで波形表示する。この際、表示画面を複数に分割し、一方の表示画面に操作部５０で設定された時間軸で全体波形の波形表示をする。
【００１１】
さらに、ユーザが表示部４０の一方の表示画面を観測しつつ、拡大表示させる領域の指定（例えば、異常波形を含む部分）を操作部５０に行う。そして、この操作によって表示処理部３０が、表示部４０の他方の表示画面に、表示部４０の一方の表示画面で指定される領域の波形データを拡大してロールモードで波形表示する。
【００１２】
さらに、必要に応じて、操作部５０を介して波形解析（例えば、２本のカーソル間の時間幅または電圧差等のパラメータ解析、チャネル間の電圧差などの解析、最大値、最小値の解析等）を行う。
【００１３】
【特許文献１】特開平０７−２３９６８０号公報（段落番号０００２−０００９、第２図）
【発明の開示】
【発明が解決しようとする課題】
【００１４】
このようにロールモードで表示させることにより、チャートレコーダと同様に、被測定波形を測定しつつ、既に測定した波形の観測を同時に行うことができる。これにより、例えば、異常波形を確実に捕らえて、異常波形発生時の波形間の相関や発生するタイミング等を観測することができる。
【００１５】
しかしながら、チャートレコーダが順次ロール紙に記録するのと異なり、表示部４０の表示画面の大きさは一定である。そして、ロールモードの表示では、一方の表示画面（以下、メイン画面とする）および他方の表示画面（以下、ズーム画面とする）に表示される波形が、時間の経過と共に右から左へと流れてしまう。例えば、波形解析は、解析位置を指定して行うことが多いが、常に波形が移動しているので波形の解析値も変化する。さらに、波形解析は、波形を拡大して詳細に表示させるズーム画面でカーソルの位置設定等を行うが、拡大しているので短時間で波形がズーム画面外へと移動し、波形の観測・解析が難しいという問題があった。
【００１６】
一方、ユーザが異常波形が発生した場合、操作部５０を操作して測定部１０の測定そのものを停止させ、メイン画面およびズーム画面の波形更新を停止させる構成もある（例えば、特開２０００−２０６１５１号公報、段落番号０００２−０００４）。
【００１７】
しかしながら、波形測定そのものも停止してしまうので、チャートレコーダのように波形を測定しつつ波形観測を行うことができないという問題があった。
【００１８】
また、低速サンプリングレートで測定を行いつつロールモードで波形表示し、同時に異なるサンプリングレート（高速サンプリングレート）で測定を行う構成（例えば、特開平５−２０３０号公報（段落番号０００２−０００３）もあるが、高速サンプリングレートで測定を行うのは指定したトリガ条件のときであり、規則的に発生する波形の観測しか行えない。そのため、チャートレコーダで観測するような長時間観測中に不規則に発生する波形の観測を確実に行うことが困難であるという問題があった。
【００１９】
そこで本発明の目的は、所望の波形を確実に測定しつつ、波形観測・解析を容易におこなうことができる波形測定装置を実現することにある。
【課題を解決するための手段】
【００２０】
請求項１記載の発明は、
被測定波形を測定した波形データをデータ記憶部に格納し、このデータ記憶部に格納した波形データを、表示部の一方の表示画面にロールモードで波形表示し、前記表示部の他方の表示画面に前記一方の表示画面で指定される領域を拡大してロールモードで波形表示する波形測定装置において、
波形更新の停止信号を出力する操作部と、
この操作部から出力される波形更新の停止信号によって、前記他方の表示画面の波形更新を停止し、前記一方の表示画面の波形更新を継続する波形更新手段と
を設けたことを特徴とするものである。
【００２１】
請求項２記載の発明は、請求項１記載の発明において、
波形更新手段は、
前記データ記憶部に格納される波形データのアドレスを記憶するアドレス記憶部と、
停止フラグの状態を記憶するフラグ記憶部と、
前記操作部から出力される波形更新の停止信号によって、前記フラグ記憶部の停止フラグをオンにすると共に、前記一方の表示画面で指定される領域の両端に位置する波形データそれぞれのアドレスをアドレス記憶部に格納する設定手段と、
前記フラグ記憶部の停止フラグがオンの間、前記アドレス記憶部のアドレス間の波形データを選択するデータ選択手段と
を有することを特徴とするものである。
【００２２】
請求項３記載の発明は、請求項２記載の発明において、
データ選択手段は、新たに測定された波形データによって、前記アドレス記憶部に格納したアドレスに対応する前記データ記憶部の波形データが上書きされると、前記アドレス記憶部のアドレス間の波形データの選択を行わないことを特徴とするものである。
【００２３】
請求項４記載の発明は、請求項１記載の発明において、
波形データを記憶する停止波形データ記憶部を設け、
波形更新手段は、
停止フラグの状態を記憶するフラグ記憶部と、
前記操作部から出力される波形更新の停止信号によって、前記フラグ記憶部の停止フラグをオンにすると共に、前記一方の表示画面で指定される領域の波形データを前記データ記憶部から前記停止波形データ記憶部に格納する設定手段と、
前記フラグ記憶部の停止フラグがオンの間、前記停止波形データ記憶部の波形データを選択するデータ選択手段と
を有することを特徴とするものである。
【００２４】
請求項５記載の発明は、請求４記載の発明において、
設定手段は、前記データ記憶部の波形データを圧縮し、圧縮したデータを格納することを特徴とするものである。
【００２５】
請求項６記載の発明は、請求項２〜５のいずれかに記載の発明において、
波形更新手段は、前記他方の表示画面に表示される波形の波形解析を、前記データ選択手段の選択した波形データで行う解析手段を設けたことを特徴とするものである。
【発明の効果】
【００２６】
本発明によれば、以下のような効果がある。
請求項１〜６によれば、波形更新手段が、操作部からの波形更新の停止信号によって、他方の表示画面の波形更新のみを停止し、一方の表示画面の波形更新をロールモードで継続して行うので、波形観測中に他方の表示画面から波形観測を行う波形が外れることがなく、被測定波形の測定が中断されることもない。これにより、所望の波形を確実に測定しつつ、波形観測を容易におこなうことができる。従ってチャートレコーダのように、被測定波形の測定をしつつ波形観測を行うことができる。
【００２７】
請求項３によれば、データ選択手段が、他方の表示画面に表示される波形データが、新たに測定された波形データによって上書きされると、波形データの選択を行わないので、指定された波形データと異なる波形データを選択することが無い。
【００２８】
請求項４によれば、設定手段が波形更新の停止信号によって、一方の表示画面で指定される領域の波形データをデータ記憶部から停止波形データ記憶部に格納し、データ選択手段が停止波形データ記憶部の波形データを選択するので、新たに取得された波形データによって、データ記憶部の波形データが上書きされても、拡大波形の再描画を行うことができる。
【００２９】
請求項５によれば、設定手段が、データ記憶部の波形データを圧縮し、圧縮したデータを停止波形データ記憶部に格納するので、データ数が減少し高速に転送して格納を行うことができる。さらに、停止波形データ記憶部の容量を小さくすることができる。
【００３０】
請求項６によれば、波形更新手段が、他方の表示画面に表示される波形の波形解析を、データ選択手段の選択した波形データで行うので、被測定波形の測定が中断されることもない。これにより、所望の波形を確実に測定しつつ、波形解析を容易におこなうことができる。従ってチャートレコーダのように、被測定波形の測定をしつつ波形解析を行うことができる。
【発明を実施するための最良の形態】
【００３１】
以下図面を用いて本発明の実施の形態を説明する。
図１は本発明の一実施例を示す構成図である。ここで、図９と同一のものは同一符号を付し、説明を省略する。図１において、表示処理部３０の代わりに表示処理部６０が設けられる。表示処理部６０は、波形更新手段６１を有し、操作部５０から出力される信号に従って、アクイジョンメモリ２０から波形データを読み出し、波形データや波形データの解析結果を所望の形式の表示データに変換し、この表示データを表示部４０の表示画面に波形表示する。
【００３２】
波形更新手段６１は、アドレス記憶部６１ａ、フラグ記憶部６１ｂ、設定手段６１ｃ、データ選択手段６１ｄを有し、操作部５０からの信号に従って、波形データから表示データを作成する。
【００３３】
アドレス記憶部６１ａは、アクイジョンメモリ２０に格納される波形データのアドレスを記憶する。フラグ記憶部６１ｂは、停止フラグの状態を記憶する。設定手段６１ｃは、操作部５０からの信号に従って、フラグ記憶部６１ｃの停止フラグをオンまたはオフにすると共に、アドレス記憶部６１ａにアドレスの格納、クリアを行う。データ選択手段６１ｄは、フラグ記憶部６１ｃの停止フラグの状態とアドレス記憶部６１ａのアドレスからアクイジョンメモリ２０から読み出す波形データの選択を行う。
【００３４】
また、図２は、図１に示す波形測定装置の一例を示す前面の構成を説明した図である。表示部４０の表示画面４１は、例えば、液晶パネルであり、表示画面４１が複数に分割され、上側にメイン画面４１ａ、下側にズーム画面４１ｂが表示されている。また、表示画面４１の右端は、操作部５０の操作に連動して、ファンクションメニュー４１ｃが複数表示される。複数のボタン５１、ロータリノブ５２は、操作部５０である。
【００３５】
このような装置の動作を説明する。図３は、図１に示す装置の動作を説明したフローチャートである。
まず、ユーザが操作部５０のボタン５１、ロータリノブ５２を操作して、メイン画面４１ａに表示される波形データのレコード長、時間軸の設定を行う。この操作により操作部５０が、設定された表示となる条件の設定信号を測定部１０に出力する。また、操作部５０が表示処理部６０にも設定された波形表示を指示する信号を出力する（Ｓ１０）。
【００３６】
そして、ユーザが操作部５０の測定開始のボタンをおす。この操作により操作部５０が、測定開始の信号を測定部１０に出力する。そして、測定部１０の図示しないＡＤ変換器が、操作部５０からの指示によるサンプリングレートで被測定波形をデジタル信号に変換し、波形データとしてアクイジョンメモリ２０に格納する。この際、設定されたレコード長分波形データを取得してアクイジョンメモリ２０に格納したら、新しい波形データでアクイジョンメモリ２０の古い波形データから順に上書きしていく。さらに、表示処理部６０が、測定部１０の測定に対してほぼリアルタイムで、アクイジョンメモリ２０から波形データを読み出し、波形更新手段６１が波形データから表示データを作成する。そして、表示処理部６０が、表示データを表示部４０の表示画面４１にロールモードで波形表示する。この際、表示画面４１を複数に分割し、メイン画面４１ａに操作部５０で設定された時間軸で全体波形の波形表示をする（Ｓ１１）。
【００３７】
ここで、ユーザが表示部４０のメイン画面４１ａに表示される波形の拡大や解析を行わない場合、操作部５０の操作を行わずそのまま観測を続ける（Ｓ１２、Ｓ１３）。さらに、測定を終了する場合、ユーザが操作部５０の測定終了のボタンを押し、操作部５０が測定部１０に測定を停止させると共に、表示処理部６０に表示波形の波形更新を停止させる。（Ｓ１３、Ｓ１４）。測定を終了しない場合、波形観測を継続する（Ｓ１３、Ｓ１２）。
【００３８】
一方、例えば、異常波形が発生し、ユーザがメイン画面４１ａに表示される異常波形の拡大や解析を行う場合、操作部５０を操作して拡大波形をズーム画面４１ｂに表示させる。例えば、図２に示すボタン５１の”ＺＯＯＭ”を押す。これによりファンクションメニュー４１ｃが表示される。そして、ファンクションメニュー４１ｃを参照しつつ、ボタン５１のファンクションボタン”Ｆ１”〜”Ｆ７”やロータリノブ５２を操作して拡大する領域を指定する。この操作によって表示処理部６０の波形更新手段６１が拡大波形の表示データを作成し、表示処理部６０がメイン画面４１ａで指定される領域の波形データを拡大した拡大波形をズーム画面４２ｂにロールモードで波形表示する。（Ｓ１２、Ｓ１５）。
【００３９】
さらに、ユーザがメイン画面４１ａの拡大波形を詳細に観測、解析するためファンクションメニュー４１ｃの”ＰＡＳＵＥ”に対応するボタン５１のファンクションボタン”Ｆ７”を押す。これにより、操作部５０から表示処理部６０に波形更新の停止信号が出力される。そして、表示処理部６０が、操作部５０から出力される波形更新の停止信号によって、ズーム画面４１ｂの波形更新を停止し、メイン画面４１ａの波形更新は継続する。もちろん、測定部１０は測定を行い波形データをアクイジョンメモリ２０に格納し続けている（Ｓ１６）。
【００４０】
そして、表示処理部６０が、波形更新の停止しているズーム画面４１ｂにて、ユーザが操作部５０を介して指定する波形解析を行い、解析結果をズーム画面４１ｂに表示する。ここで図４は、波形更新を停止しているズーム画面４１ｂの表示例であり、カーソルＹ１、Ｙ２を用いて、異常波形部分（正弦波に発生しているパルス上のグリッチ）の電圧値の解析を行っている（Ｓ１７）。
【００４１】
これらの波形観測・解析の結果より、測定を終了する場合、ユーザが操作部５０の測定終了のボタンを押し、操作部５０が測定部１０に測定を停止させると共に、表示処理部６０にメイン画面４１ａ、ズーム画面４１ｂの表示波形の波形更新を停止させる（Ｓ１８、Ｓ１４）。測定を終了しない場合、ユーザが操作部５０を操作して波形更新の停止を解除させ、この操作によって表示処理部６０が、ズーム画面４１ｂの波形更新を再開する（Ｓ１８、Ｓ１９、Ｓ１２）。
【００４２】
続いて、ズーム画面４１ｂの波形更新を停止して、波形解析や再描画等を行い、波形更新を再開する動作を詳細に説明する。図５はステップＳ１６の動作を詳細に示したフローチャートであり、図６はステップＳ１７の動作を詳細に示したフローチャートであり、図７はステップＳ１９の動作を詳細に示したフローチャートである。
【００４３】
まず、波形更新の停止を行う動作を説明する。
操作部５０から出力される波形更新の停止信号が、表示処理部６０の波形更新手段６１に入力される。これにより、波形更新手段６１の設定手段６１ｃが、フラグ記憶部６１ｂの停止フラグをオンにする（Ｓ１６ａ）と共に、メイン画面４１ａで指定される領域の両端（図２中、開始点Ｐ１、終了点Ｐ２）に位置する波形データそれぞれのアドレスを、アドレス記憶部６１ａに格納する（Ｓ１６ｂ）。
【００４４】
なお、波形更新の停止中は、波形更新手段６１が、波形更新の停止信号が入力される直前に作成したズーム画面４１ｂの表示データを繰り返しズーム画面４１ｂに表示させるので、メイン画面４１ａの波形は右から左に移動するが、ズーム画面４１ｂは移動しない。
【００４５】
続いて、ズーム画面４１ｂにおける波形解析の動作を説明する。
ここでは、カーソルＹ１、Ｙ２による拡大波形の電圧値の解析を一例として説明する。
データ選択手段６１ｄが、フラグ記憶部６１ｂの停止フラグの状態を確認する（Ｓ１７ａ）。そして停止フラグがオンなので、アドレス記憶部６１ａから開始点Ｐ１、終了点Ｐ２のアドレスを読み出す（Ｓ１７ｂ）。
【００４６】
そして、読み出したアドレスとカーソルＹ１、Ｙ２がズーム画面４１ｂで指している座標から、波形解析を行う波形データのアクイジョンメモリ内のアドレスを求める（Ｓ１７ｃ）。さらに、データ選択手段６１ｄが、求めたアドレスが有効か無効かを判断し、有効の場合は、求めたアドレスの波形データを選択する（Ｓ１７ｄ、Ｓ１７ｅ）。
【００４７】
そして、波形更新手段６１の図示しない解析手段が、データ選択手段６１ｄの選択した波形データで波形解析を行う。そして、波形更新手段６１が、解析結果を表示する表示データを作成し、表示処理部６０がズーム画面４１ｂに表示する（Ｓ１７ｆ）。
【００４８】
また、ズーム画面４１ｂの拡大波形の再描画を行う場合は、データ選択手段６１ｄが、フラグ記憶部の停止フラグがオンの場合、アドレス記憶部６１ｂから読み出したアドレスによって、このアドレス間にあるアクイジョンメモリ２０内の波形データを選択する。そして、波形更新手段６１が、データ選択手段６１ｄの選択した波形データから、拡大波形の表示データを作成し、表示処理部６０がズーム画面４１ｂに再描画する。
【００４９】
さらに、ズーム画面４１ｂの拡大波形をさらに拡大して表示してもよい。つまり、ズーム画面４１ｂに表示されるカーソルで指定される領域内の波形データをデータ選択手段６１ｄが選択し、波形更新手段６１が、データ選択手段の選択した波形データから拡大波形をさらに拡大した表示データを作成する。
【００５０】
一方、求めたアドレスが無効の場合、例えば、新たに測定された波形データによって、データ記憶部６１ａに格納したアドレスに対応するアクイジョンメモリ２０の波形データが上書きされた場合、波形データの選択を行わず、波形データが無効と判断する。（Ｓ１７ｄ）。
【００５１】
そして、データ選択手段６１ｄによって波形データが選択されず無効と判断されるので、波形更新手段６１の図示しない解析手段が何も処理せず、表示処理部６０がズーム画面４１ｂに解析処理が無効であることを表示する。例えば、ズーム画面４１ｂで解析結果が表示される部分に、アスタリスクを表示する（Ｓ１７ｇ）。
【００５２】
なお、停止フラグがオフの場合、つまり、ズーム画面４１ｂの波形更新が行われている場合は、データ選択手段６１ｃが、カーソルＹ１、Ｙ２が指している座標から、アクイジョンメモリ２０内の波形データのアドレスを求め、波形データを選択し、波形解析をして解析結果を表示する。
【００５３】
続いて、波形更新の再開を行う動作を説明する。
操作部５０から波形更新の再開信号が、表示処理部６０の波形更新手段６１に入力される。これにより、波形更新手段６１の設定手段６１ｃが、アドレス記憶部６１ａに格納されているアドレスを初期化してクリアする（Ｓ１９ａ）と共に、フラグ記憶部６１ｂの停止フラグをオフにする（Ｓ１９ｂ）。
【００５４】
このように、波形更新手段６１が、操作部５０からの波形更新の停止信号によって、ズーム画面４１ｂの波形更新のみを停止し、メイン画面４１ａの波形更新をロールモードで継続して行うので、波形観測中にズーム画面４１ｂから波形観測を行う波形が外れることがなく、被測定波形の測定が中断されることもない。これにより、所望の波形を確実に測定しつつ、波形観測・解析を容易におこなうことができる。従ってチャートレコーダのように、被測定波形の測定をしつつ波形観測・解析を行うことができる。
【００５５】
なお、本発明はこれに限定されるものではなく、以下のようなものでもよい。
図１に示す装置において、設定手段６１ｃが波形更新の停止信号によってズーム画面４１ｂで指定される領域の両端に位置する波形データそれぞれのアドレスをアドレス記憶部６１ａに格納し、データ選択手段６１ｄがアドレス記憶部６１ａのアドレス間の波形データを選択する構成を示したが、波形測定装置にアクイジョンメモリ２０と同様に波形データを記憶する停止波形データ記憶部を設けてもよい。そして、設定手段６１ｃが波形更新の停止信号によって、メイン画面４１ａで指定される領域内の波形データをアクイジョンメモリ２０から停止波形データ記憶部に格納し、データ選択手段が停止フラグがオンの間、停止波形データ記憶部の波形データを選択する構成としてもよい。
【００５６】
このように、設定手段６１ｃが、波形更新の停止信号によって、メイン画面４１ａで指定される領域内の波形データをアクイジョンメモリ２０から停止波形データ記憶部に転送して格納し、データ選択手段６１ｄが、停止波形データ記憶部の波形データを選択するので、新たに取得された波形データによって、アクイジョンメモリ２０の波形データが上書きされても、拡大波形の解析、再描画、ズーム等を行うことができる。
【００５７】
また、ズーム画面４１ｂの時間軸方向で表示できるドット数よりも、実際に表示される波形データのデータ数の方が通常多い。そこで設定手段６１ｃは、アクイジョンメモリ２０から読み出した波形データのうち各ドットごとに最大値と最小値を検出して、波形データをＰ−Ｐ（Ｐｅａｋ−ｔｏ−Ｐｅａｋ）圧縮して停止波形データ記憶部に格納してもよい。これにより、データ数が減少し高速に転送して格納を行うことができる。さらに、停止波形データ記憶部の容量を小さくすることができる。
【００５８】
なお、停止波形データ記憶部とアクイジョンメモリ２０を別々に設ける構成を示したが、共通に使用してもよい。
【００５９】
また、図１に示す装置において、測定部１０が操作部５０か測定を停止させる信号が入力されるまで、繰り返し測定を行って新しい波形データでアクイジョンメモリ２０内の古い波形データを上書きする構成を示したが、測定部１０は、指定されたレコード長を測定したら、測定を中止していもよい。この場合、アクイジョンメモリ２０内の波形データが上書きされることが無いので、データ選択手段６１ｄは、ステップ１７ｄの求めたアドレスが有効かどうかを判断する必要は無く、ステップＳ１７ｇの無効処理も必要ない
【００６０】
さらに、図１に示す装置において、表示画面４１の波形表示が、波形を右から左の方向に流れる構成を示したが、波形の流れる方向はどちらでもよい。例えば、上から下、下から上、左か右のいずれかでもよい。
【図面の簡単な説明】
【００６１】
【図１】本発明の一実施例を示した構成図である。
【図２】図１に示す波形測定装置の一例を示す前面の構成を説明した図である。
【図３】図３は、図１に示す装置の動作を説明したフローチャートである。
【図４】波形更新を停止しているズーム画面４１ｂの表示例である。
【図５】図３に示すステップＳ１６の動作を詳細に示したフローチャートである。
【図６】図３に示すステップＳ１７の動作を詳細に示したフローチャートである。
【図７】図３に示すステップＳ１９の動作を詳細に示したフローチャートである。
【図８】ロールモードの表示例を示した図である。
【図９】従来の波形測定装置の構成図である。
【符号の説明】
【００６２】
５０  操作部
６１  波形更新手段
６１ａ  アドレス記憶部
６１ｂ  フラグ記憶部
６１ｃ  設定手段
６１ｄ  データ選択手段
【図１】
2005121457.tif 000003
【図２】
2005121457.tif 000004
【図３】
2005121457.tif 000005
【図４】
2005121457.tif 000006
【図５】
2005121457.tif 000007
【図６】
2005121457.tif 000008
【図７】
2005121457.tif 000009
【図８】
2005121457.tif 000010
【図９】
2005121457.tif 000011